(57)【要約】【課題】主に、容器側面保持部のガタ付きを防止し得るようにする。【解決手段】カップホルダー本体３とハウジング１２との間に、ハウジング１２のガタ付きを防止可能なガタ付防止部を設ける。このガタ付防止部が、カップホルダー本体３に設けられて、ハウジング１２の側面を押圧保持可能な押圧保持部２８と、ハウジング１２に設けられて、押圧保持部２８によって押圧保持される受部２９と、を有するものとされる。そして、上記した受部２９が、押圧保持部２８の押圧力により弾性変形してガタ付きを吸収可能な弾性受部とされるようにしている。【選択図】図７
2014198489.tif 000002
【特許請求の範囲】
【請求項１】
飲料容器を上方から挿入して収容保持可能なカップホルダー本体と、
該カップホルダー本体に収容保持された飲料容器の側面を保持可能な容器側面保持部と、を有すると共に、
該容器側面保持部が、カップホルダー本体の側面に形成された側面連通部の周囲を覆うようにカップホルダー本体の外側面に取付けられるハウジングと、
該ハウジングに、前記側面連通部を介してカップホルダー本体内へ出入自在となるように取付けられた可動フラップと、
該可動フラップと前記ハウジングとの間に介装されて、前記可動フラップを前記側面連通部からカップホルダー本体内へ突出する方向へ付勢可能な付勢部材と、を有するカップホルダーにおいて、
前記カップホルダー本体と前記ハウジングとの間に、該ハウジングのガタ付きを防止可能なガタ付防止部を設け、
該ガタ付防止部が、
前記カップホルダー本体に設けられて、前記ハウジングの側面を押圧保持可能な押圧保持部と、
前記ハウジングに設けられて、前記押圧保持部によって押圧保持される受部と、を有し、
前記受部が、前記押圧保持部の押圧力により弾性変形してガタ付きを吸収可能な弾性受部とされたことを特徴とするカップホルダー。
【請求項２】
前記カップホルダー本体の前記押圧保持部が、前記ハウジングの両側面を挟着保持可能に一対設けられ、
前記ハウジングの受部が、前記一対の押圧保持部によって挟着保持されるように一対設けられ、
少なくとも一方の受部が、前記一対の押圧保持部の挟着力により弾性変形してガタ付きを吸収可能な弾性受部とされたことを特徴とする請求項１に記載のカップホルダー。
【請求項３】
前記カップホルダー本体と前記容器側面保持部との上端間に、回動支持部が設けられ、
前記カップホルダー本体と前記容器側面保持部との下端間に、爪固定部が設けられ、
前記ガタ付防止部が、前記回動支持部と爪固定部との間に設けられたことを特徴とする請求項１または請求項２に記載のカップホルダー。
【発明の詳細な説明】
【技術分野】
【０００１】
この発明は、自動車などの車内に設置されるカップホルダーに関するものである。
【背景技術】
【０００２】
自動車などの車両には、車室内に飲料容器を保持するためのカップホルダーが設けられている。
【０００３】
このようなカップホルダーは、飲料容器を上方から挿入して収容保持可能なカップホルダー本体と、このカップホルダー本体に収容保持された飲料容器の側面を保持可能な容器側面保持部と、を有するものとされる（例えば、特許文献１参照）。
そして、この容器側面保持部には、カップホルダー本体の側面に形成された側面開口部の周囲を覆うようにカップホルダー本体の外側面に取付けられるハウジングと、このハウジングに、上記した側面開口部を介してカップホルダー本体内へ出入自在となるように取付けられた可動フラップと、この可動フラップとハウジングとの間に介装されて、可動フラップを側面開口部からカップホルダー本体内へ突出する方向へ付勢可能な付勢部材と、を有するものが存在している。
【先行技術文献】
【特許文献】
【０００４】
【特許文献１】特開２０１０−２４１１８１号公報
【発明の概要】
【発明が解決しようとする課題】
【０００５】
しかしながら、上記したカップホルダーには、以下のような問題があった。
【０００６】
即ち、カップホルダー本体に対して、容器側面保持部の可動フラップを、ハウジングを介して間接的に取付けるようにした場合、構造的に、カップホルダー本体と容器側面保持部のハウジングとの間に、ガタ付きが発生し易いという問題があった。
【０００７】
そこで、このガタ付きを防止するために、カップホルダー本体や容器側面保持部のハウジングを、設計上ガタ付きが生じない寸法に製造することが考えられるが、仮に、このような寸法関係に製造したとしても、寸法公差があるため、ガタ付きが生じないようにするのは困難であった。
【課題を解決するための手段】
【０００８】
上記課題を解決するために、請求項１に記載された発明は、
飲料容器を上方から挿入して収容保持可能なカップホルダー本体と、
該カップホルダー本体に収容保持された飲料容器の側面を保持可能な容器側面保持部と、を有すると共に、
該容器側面保持部が、カップホルダー本体の側面に形成された側面連通部の周囲を覆うようにカップホルダー本体の外側面に取付けられるハウジングと、
該ハウジングに、前記側面連通部を介してカップホルダー本体内へ出入自在となるように取付けられた可動フラップと、
該可動フラップと前記ハウジングとの間に介装されて、前記可動フラップを前記側面連通部からカップホルダー本体内へ突出する方向へ付勢可能な付勢部材と、を有するカップホルダーにおいて、
前記カップホルダー本体と前記ハウジングとの間に、該ハウジングのガタ付きを防止可能なガタ付防止部を設け、
該ガタ付防止部が、
前記カップホルダー本体に設けられて、前記ハウジングの側面を押圧保持可能な押圧保持部と、
前記ハウジングに設けられて、前記押圧保持部によって押圧保持される受部と、を有し、
前記受部が、前記押圧保持部の押圧力により弾性変形してガタ付きを吸収可能な弾性受部とされたことを特徴とする。
【発明の効果】
【０００９】
請求項１に記載された発明によれば、上記構成によって、以下のような作用効果を得ることができる。
即ち、カップホルダー本体と容器側面保持部のハウジングとの間に、ハウジングのガタ付きを防止可能なガタ付防止部を設け、ガタ付防止部が、カップホルダー本体に設けられて、ハウジングの側面を押圧保持可能な押圧保持部と、ハウジングに設けられて、押圧保持部によって押圧保持される受部と、を有し、受部が、押圧保持部の押圧力により弾性変形してガタ付きを吸収可能な弾性受部とされたことにより、
カップホルダー本体の押圧保持部が、ハウジングの側面の受部を押圧保持することで、容器側面保持部のハウジングのガタ付きを防止することができる。
この際、受部が、押圧保持部の押圧力により弾性変形してガタ付きを吸収可能な弾性受部とされたことにより、寸法公差の影響を受けることなく、確実にハウジングのガタ付きを防止することができるようになるので、カップホルダー本体や容器側面保持部のハウジングに対する寸法管理を容易化することができる。
そして、カップホルダー本体が、ネジ固定によってハウジングをガタ付きなく確実に取付けることができないような形状や構造などとなっているような場合であっても、カップホルダー本体にハウジングを取付けるだけで、上記したガタ付防止部によるガタ付き防止効果を得ることができる。よって、ネジ固定以外の取付手段の使途を広げることができるようになる。
【図面の簡単な説明】
【００１０】
【図１】本発明の実施例にかかるカップホルダーを斜め上方から見た斜視図である。
【図２】図１のカップホルダーに飲料容器を収容した状態を示す斜視図である。
【図３】図１のカップホルダーに収容される各種の飲料容器の斜視図である。
【図４】図１のカップホルダーの分解斜視図である。
【図５】図４の容器側面保持部の分解斜視図である。
【図６】図４の容器側面保持部のカップホルダー本体に対する取付状況を示す側方断面図である。
【図７】図４の容器側面保持部のカップホルダー本体に対する取付状況を示す斜視図である。
【図８】容器側面保持部をカップホルダー本体に取付けた状態を示す拡大正面図である。
【図９】図８の断面図であり、（ａ）は上部の回動支持部周辺、（ｂ）は中間部のガタ付防止部周辺、（ｃ）は下部の爪固定部周辺における断面図である。
【発明を実施するための形態】
【００１１】
以下、本実施の形態、および、それを具体化した実施例を、図面を用いて詳細に説明する。
図１〜図９は、この実施の形態の実施例およびその変形例を示すものである。
【実施例１】
【００１２】
＜構成＞以下、構成について説明する。
図１、図２に示すように、自動車などの車両には、車室内に、各種の飲料容器１（図３参照）を保持するためのカップホルダー２が設けられている。
【００１３】
そして、図４の分解斜視図に示すように、このカップホルダー２を、少なくとも、飲料容器１を上方から挿入して収容保持可能なカップホルダー本体３と、このカップホルダー本体３に収容保持された飲料容器１の側面を保持可能な容器側面保持部４と、を有するものとする。
【００１４】
そして、図５の分解斜視図に示すように、この容器側面保持部４を、カップホルダー本体３の側面３ｃに形成された側面連通部５の周囲を覆うようにカップホルダー本体３の外側面に取付けられるハウジング１２と、このハウジング１２に、上記側面連通部５を介してカップホルダー本体３内へ出入自在となるように取付けられた可動フラップ７と、この可動フラップ７と上記ハウジング１２との間に介装されて、可動フラップ７を側面連通部５からカップホルダー本体３内へ突出する方向へ向けて付勢可能な付勢部材８とを有するものとする。
【００１５】
ここで、上記についての補足説明を行うと、上記した「飲料容器１」は、文字通り、飲料を収納する容器のことである。この飲料容器１には、図３に示すような、大型カップ１ａや、くびれ付容器１ｂや、中型円筒状容器１ｃや、小型円筒状容器１ｄなどが存在している。これらについては、後述する。
【００１６】
上記した「カップホルダー２」は、文字通り、飲料容器１を保持するためのものであり、カップホルダー２には様々な種類のものが存在しているが、この場合には、据置型のものとされている。このカップホルダー２は、例えば、図示しないセンターコンソール（車体パネル）などに対して取付けられる。カップホルダー２は、ほぼ全体が樹脂製の部品によって構成される。
【００１７】
上記した「カップホルダー本体３」は、図４に示すように、その上端部に飲料容器１を挿入可能な開口部３ａを有し、その下端部に飲料容器１の底部を保持可能な底面３ｂを有すると共に、その側面３ｃが飲料容器１の側面を取囲む有底容器状のものとされている。この場合、カップホルダー本体３は、飲料容器１を２個並べて同時に収容できるようにした２連形状のものとされている。このカップホルダー本体３は、樹脂製の部品とされている。なお、カップホルダー本体３の開口部３ａには、必要に応じ、その縁部に沿って延びる加飾リング１１などが取付けられる。この場合、加飾リング１１は、開口部３ａの形状に沿った平面視ほぼ瓢箪型のものなどとされている。この加飾リング１１は、爪嵌合などによって、カップホルダー本体３の開口部３ａに取付けられる。
【００１８】
上記した「容器側面保持部４」は、文字通り、カップホルダー本体３の側面３ｃの部分に設けられて、飲料容器１の側面を押圧保持するための可動部品である。
【００１９】
この容器側面保持部４は、カップホルダー本体３に対して直接取付けるようなものとしても良いが、この場合、図５に示すように、容器側面保持部４は、カップホルダー本体３とは別体の組立部品として構成され、図６、図７に示すように、カップホルダー本体３の外側に後付けされるものとなっている。
【００２０】
上記した「側面連通部５」は、文字通り、カップホルダー本体３の側面３ｃに形成された、カップホルダー本体３の内外間を連通する部分のことである。側面連通部５は、例えば、開口部や切欠部などとすることができる。この場合には、開口部とされている。
【００２１】
上記した「ハウジング１２」は、可動フラップ７を保持すると共に、可動フラップ７をカップホルダー本体３の側面３ｃに取付けるためのものである。このハウジング１２は、ほぼ上下方向へ延びるほぼ箱枠状をしたものなどとされている。このハウジング１２は、カップホルダー本体３の側面３ｃと対向する部分に開口部１２ａを有しており、この開口部１２ａの部分をカップホルダー本体３の側面３ｃに当接させた状態で設置されるようになっている。また、ハウジング１２の開口部１２ａと反対側の面（背面）には、必要に応じて、可動フラップ７との干渉を防止するための開口部などが形成される。容器側面保持部４の上記以外の構成については、後述する。
【００２２】
上記した「可動フラップ７」は、容器側面保持部４を構成する主要部品であり、飲料容器１の側面を直接押圧保持する可動部品のことである。可動フラップ７は、ハウジング１２に対し、回転軸９を中心に揺動可能に軸支される。この可動フラップ７は、上記した側面連通部５とほぼ等しい幅寸法を有することにより、側面連通部５の側部との間にほとんど隙間が生じない状態で可動するようなものとされている。この可動フラップ７は、カップホルダー本体３の側面３ｃに対し、１箇所、または、周方向に所要の間隔を有して複数箇所設けられている。この場合には、周方向にほぼ均等な間隔を有して３箇所（またはそれ以上）設けられている。なお、可動フラップ７は、余り多くすると構造が複雑になると共に、飲料容器１を周方向に均等に押さえることがかえって難しくなるので、３箇所または４箇所程度までとするのが最適である。
【００２３】
上記した「付勢部材８」は、文字通り、可動フラップ７を突出方向へ向けて付勢する部材であり、この付勢部材８の付勢力によって、可動フラップ７は、飲料容器１の側面に弾接されて、飲料容器１の側面を押圧保持することができるようになっている。この場合には、付勢部材８には、金属製のトーションスプリングなどが使用されている。このトーションスプリングは、コイル部と、このコイル部の両端部から接線方向に延設された二本の腕部とを有するものなどとされる。この場合、付勢部材８は、一対の回転軸９の間に設けられた付勢部材支持軸部７ａによってそのコイル部の両端部が軸支された状態で、その両腕部がハウジング１２の背面と可動フラップ７の後部との間にそれぞれ介装されるようにして設置されている。但し、付勢部材８は、トーションスプリングに限るものではなく、板バネやコイルスプリングや樹脂バネなどの他の弾性部材を使用しても良いことは勿論である。
【００２４】
そして、上記のより詳細な構造について説明すると、図５に示すように、上記した回転軸９は、可動フラップ７の上部からほぼ上方へ向けて一体に突設された上方延長部２２の上端外側面から外側方向へ向けて一体に突設された短軸となっている。この場合、上方延長部２２および回転軸９は、左右一対設けられている。なお、上記した付勢部材支持軸部７ａは、この上方延長部２２の上端内側部から内方へ向けて一体に突設された一対の短軸となっている。
【００２５】
そして、上記したハウジング１２の上端部分の両側部内面に対し、回転軸９を軸支するための軸穴部２３が設けられている。
【００２６】
また、可動フラップ７の上方延長部２２の下端外側部から外側方へ向けてガイド突起２４が一体に突設されている。この場合、ガイド突起２４も、上方延長部２２および回転軸９と共に、左右一対設けられる。このガイド突起２４もまた、回転軸９と同じ短軸とされている。そして、上記したハウジング１２の上半部分の両側部には、ガイド突起２４を案内するためのガイド部２５が設けられている。このガイド部２５は、回転軸９を中心とする円弧状の長穴部または溝部などとされる。
【００２７】
更に、図４に示すように、カップホルダー本体３の外側面（側面３ｃの外面側）における、側面連通部５（開口部）の周縁部には、この周縁部を全周に亘って取囲むように、高さ調整用および液掛かり防止用の周壁部２６が外方へ向けて立設されている。そして、上記したハウジング１２の開口部１２ａは、この周壁部２６よりも一回り大きいものとされて、周壁部２６の外側を取り囲むようにカップホルダー本体３の外側面に取付けられるようになっており、これによって、周壁部２６が、ガイド突起２４などへの液掛かりを防止する機能を有するようになっている。
【００２８】
加えて、カップホルダー本体３の外側面における、側面連通部５（開口部）の周縁部には、上記したハウジング１２の開口部１２ａが当接される高さ調整用の当接部２７が立設されている。この当接部２７は、周壁部２６と一体に設けられた当てリブなどとされている。この場合、当接部２７は、周壁部２６の上下方向のほぼ中間部分などに対し、片側または両側に上下二段となるように設けられている。但し、当接部２７の設置位置や設置個数については、これ限るものではない。
【００２９】
そして、以上のような基本的な構成に対し、この実施例のものでは、以下のような構成を備えるようにしている。
【００３０】
（構成１）
図８、図９に示すように、上記カップホルダー本体３と上記容器側面保持部４のハウジング１２との間に、このハウジング１２のガタ付きを防止可能なガタ付防止部を設ける。
このガタ付防止部が、
・上記カップホルダー本体３に設けられて、上記ハウジング１２の側面を押圧保持可能な押圧保持部２８と、
・上記ハウジング１２に設けられて、上記押圧保持部２８によって押圧保持される受部２９と、を有するものとされる。
そして、上記した受部２９が、上記押圧保持部２８の押圧力により弾性変形してガタ付きを吸収可能な弾性受部とされる。
【００３１】
（補足説明１）
ここで、上記した「ガタ付防止部」は、文字通り、カップホルダー本体３に対してハウジング１２が横方向などへガタ付くのを防止するためのものである。
【００３２】
上記した「押圧保持部２８」は、文字通り、容器側面保持部４のハウジング１２の、左右の側面を外側から横方向に押圧保持するものである。この押圧保持部２８は、上記した周壁部２６の側面に対して、一体に設けられる。この押圧保持部２８は、この場合、ハウジング１２の上下方向の中間部で、上記した上下二段の当接部２７の間の位置などに設けられている。この押圧保持部２８は、上記した当接部２７よりも高く外方へ突出するものとされて、その内面（内方縁部）がハウジング１２の側面に圧接されるようにする。そのために、この押圧保持部２８は、その内面が寸法公差分だけ長くなるように形成して（即ち、マイナス公差に設定して）、意図的に受部２９と干渉させるように設定しておく。
【００３３】
上記した「受部２９」は、ハウジング１２の両側部における、押圧保持部２８の内面と接触する位置に設けられる。
【００３４】
上記した「弾性受部」は、文字通り、弾性を有して受ける部分のことである。この弾性受部は、ハウジング１２の両側部に一対の切込部１２ｂを形成することによって、切込部１２ｂの間に設けられる。この場合には、両方の受部２９が弾性受部とされている。
【００３５】
（構成２）
上記カップホルダー本体３の上記押圧保持部２８が、容器側面保持部４のハウジング１２の両側面を挟着保持可能に一対設けられ、
上記ハウジング１２の受部２９が、上記一対の押圧保持部２８によって挟着保持されるように一対設けられる。
そして、少なくとも一方の受部２９が、上記一対の押圧保持部２８の挟着力により弾性変形してガタ付きを吸収可能な弾性受部とされる。
【００３６】
（構成３）
上記カップホルダー本体３と上記容器側面保持部４（のハウジング１２）との上端間に、回動支持部が設けられる。
また、上記カップホルダー本体３と上記容器側面保持部４（のハウジング１２）との下端間に、爪固定部が設けられる。
そして、上記ガタ付防止部が、前記回動支持部と爪固定部との間に設けられる。
【００３７】
（補足説明３）
ここで、上記した「回動支持部」は、文字通り、カップホルダー本体３に対して、回動支持部のハウジング１２を回動自在に支持する部分である。回動支持部は、ハウジング１２の側面連通部５よりも上側となる位置に、外側方へ向けて一体に突設された一対の取付用軸部１４と、カップホルダー本体３の側面３ｃにおける側面連通部５の上部に、上記取付用軸部１４を係止保持可能および回動自在に支持可能となるように一体に突設された、上向きフック状をした一対の軸保持部１５と、を有するものとされる。この回動支持部は、カップホルダー本体３に対する容器側面保持部４の上部取付部となるものである。
【００３８】
この場合、上記した回転軸９は、取付用軸部１４の近傍で、取付用軸部１４よりも若干低い位置（例えば、ハウジング１２の肉厚分程度低い位置）などに設けられている。
【００３９】
上記した「爪固定部」は、文字通り、カップホルダー本体３の側面３ｃにおける側面連通部５の下部に、面外方向へ向けて一体に突設された係止用爪部１７と、ハウジング１２における側面連通部５よりも下側となる位置に形成された、係止用爪部１７が係止される爪穴部１８と、を有するものとされる。この回動支持部は、カップホルダー本体３に対する容器側面保持部４の下部取付部となるものである。なお、係止用爪部１７と爪穴部１８とは、ハウジング１２とカップホルダー本体３とに対し逆に設けても良い。また、係止用爪部１７と爪穴部１８とは、多重に設けても良い。
【００４０】
上記した「回動支持部と爪固定部との間」は、この場合、カップホルダー本体３と上記容器側面保持部４との上下方向の中間部とされている。このガタ付防止部は、カップホルダー本体３に対する容器側面保持部４の中間支持部となるものである。
【００４１】
（構成４）
図１に示すように、上記カップホルダー本体３における、上記容器側面保持部４の取付部分の上側に、カップホルダー本体３の内倒れを防止可能な内倒防止部５１を設けるようにする。
【００４２】
（補足説明４）
ここで、上記した「内倒防止部５１」は、文字通り、カップホルダー本体３の側面３ｃが内側へ倒れないように、外部の図示しない車体パネル（センターコンソールなど）に対して保持させるための保持部である。この内倒防止部５１は、２連形状のカップホルダー本体３の開口部３ａにおける、くびれた部分の外側の位置に、開口部３ａが細長く潰れないように設けられている。この内倒防止部５１は、車体パネルに対するカップホルダー本体３の取付点とは別に、或いは、取付点を補助するものとして追加的に設けられる。
【００４３】
これに対し、図示しない車体パネルには、この内倒防止部５１に嵌合可能なカップホルダー２上部固定部が設けられる。
【００４４】
＜作用＞以下、この実施例の作用について説明する。
カップホルダー本体３に飲料容器１を挿入すると、飲料容器１の側面に押されて、可動フラップ７が付勢部材８の付勢力に抗して引っ込められると共に、付勢部材８は撓められて付勢力を蓄積し、同時に、引っ込められた可動フラップ７が、付勢力を蓄積された付勢部材８によって押出されることにより、飲料容器１の側面を押圧保持することができる。
【００４５】
そして、このカップホルダー２の場合、カップホルダー本体３に対し、別部品として構成された容器側面保持部４が後付けによって取付けられている。
【００４６】
この容器側面保持部４の取付けは、上記カップホルダー本体３と上記容器側面保持部４との上端間に設けられた回動支持部を中心に容器側面保持部４を回動させて、上記カップホルダー本体３と上記容器側面保持部４との下端間に設けられた爪固定部を係止させることによって行われる。
【００４７】
この際、カップホルダー本体３と上記容器側面保持部４との上下方向の中間部に設けられたガタ付防止部は、カップホルダー本体３に対してハウジング１２が横方向にガタ付くのを防止するように機能する。
【００４８】
＜効果＞この実施例によれば、以下のような効果を得ることができる。
（効果１）
カップホルダー本体３と容器側面保持部４のハウジング１２との間に、ハウジング１２のガタ付きを防止可能なガタ付防止部を設け、ガタ付防止部が、カップホルダー本体３に設けられて、ハウジング１２の側面を押圧保持可能な押圧保持部２８と、ハウジング１２に設けられて、押圧保持部２８によって押圧保持される受部２９と、を有し、受部２９が、押圧保持部２８の押圧力により弾性変形してガタ付きを吸収可能な弾性受部とされたことにより、カップホルダー本体３の押圧保持部２８が、ハウジング１２の側面の受部２９を押圧保持することで、容器側面保持部４のハウジング１２のガタ付きを防止することができる。
【００４９】
この際、受部２９が、押圧保持部２８の押圧力により弾性変形してガタ付きを吸収可能な弾性受部とされたことにより、寸法公差の影響を受けることなく、確実に容器側面保持部４のハウジング１２のガタ付きを防止することができるようになるので、カップホルダー本体３やハウジング１２に対する寸法管理を容易化することができる。
【００５０】
そして、カップホルダー本体３が、ネジ固定によって容器側面保持部４のハウジング１２をガタ付きなく確実に取付けることができないような形状や構造などとなっているような場合であっても、カップホルダー本体３に容器側面保持部４のハウジング１２を取付けるだけで、上記したガタ付防止部によるガタ付き防止効果を得ることができる。よって、ネジ固定以外の取付手段の使途を広げることができるようになる。
【００５１】
（効果２）
カップホルダー本体３の押圧保持部２８が、容器側面保持部４のハウジング１２の両側面を挟着保持可能に一対設けられ、ハウジング１２の受部２９が、一対の押圧保持部２８によって挟着保持されるように一対設けられ、そして、少なくとも一方の受部２９が、一対の押圧保持部２８の挟着力により弾性変形してガタ付きを吸収可能な弾性受部とされたことにより、ハウジング１２の両側面を一対の押圧保持部２８で挟着保持することができるようになるので、より確実に容器側面保持部４のハウジング１２のガタ付きを防止することができる。
【００５２】
（効果３）
上記カップホルダー本体３と上記容器側面保持部４（のハウジング１２）との上端間に、回動支持部が設けられ、上記カップホルダー本体３と上記容器側面保持部４（のハウジング１２）との下端間に、爪固定部が設けられ、上記ガタ付防止部が、上記回動支持部と爪固定部との間に設けられたことにより、上端側の回動支持部と、下端側の爪固定部と、中間のガタ付防止部との３箇所で容器側面保持部４を保持することができるので、より効果的に容器側面保持部４のガタ付きを防止することが可能となる。
【００５３】
（効果４）
カップホルダー本体３における、上記容器側面保持部４の取付部分の上側に、カップホルダー本体３の内倒れを防止可能な内倒防止部５１を設けたことにより、カップホルダー本体３の内倒れが防止され、ホルダー本体の内倒れによって、容器側面保持部４がガタ付き易くなるのを防止することができる。
【００５４】
また、カップホルダー本体３の上部を、内倒防止部５１を介して、図示しない車体パネルに取付けることにより、車体パネルを利用してカップホルダー本体３の水平方向の剛性を上げると共に、カップホルダー本体３を利用して車体パネルの上下方向の剛性を上げることができるようになり、即ち、両者の剛性を相互補完によって確保することができるようになり、その分、カップホルダー本体３および車体パネルの構造簡略化や軽量化などを図ることが可能となる。
【００５５】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００５６】
１    飲料容器
２    カップホルダー
３    カップホルダー本体
４    容器側面保持部
５    側面連通部
７    可動フラップ
８    付勢部材
１２  ハウジング
１４  取付用軸部（回動支持部）
１５  軸保持部（回動支持部）
１７  係止用爪部（爪固定部）
１８  爪穴部（爪固定部）
２８  押圧保持部（ガタ付防止部）
２９  受部、弾性受部（ガタ付防止部）
【図１】
2014198489.tif 000003
【図２】
2014198489.tif 000004
【図３】
2014198489.tif 000005
【図４】
2014198489.tif 000006
【図５】
2014198489.tif 000007
【図６】
2014198489.tif 000008
【図７】
2014198489.tif 000009
【図８】
2014198489.tif 000010
【図９】
2014198489.tif 000011